【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
記録媒体を搬送する搬送手段の動作の情報を取得する第１取得手段と、
記録ヘッドにより記録された画像の濃度の情報を取得する第２取得手段と、
前記第２取得手段により取得した画像の濃度の情報を所定の形式で収集する制御回路と、
第１取得手段により取得した前記搬送手段の動作の情報の補正を行う補正手段とを有し、
前記補正手段で用いる補正値を決定する場合、前記制御回路は、前記第１取得手段により取得された前記搬送手段の動作の情報を前記所定の形式で収集し、
前記補正手段は、前記制御回路により収集された前記搬送手段の動作の情報に基づいて、補正を行うことを特徴とする画像処理装置。
【請求項２】
前記第１取得手段又は前記第２取得手段のうちの少なくとも一方に前記制御回路を接続させる切替回路をさらに有し、
前記切替回路が前記第２取得手段に前記制御回路を接続した場合、前記制御回路は、前記第２取得手段により取得された画像の濃度の情報を収集し、
前記切替回路が前記第１取得手段に前記制御回路を接続した場合、前記制御回路は、前記第１取得手段により取得された前記搬送手段の動作の情報を収集することを特徴とする請求項１に記載の画像処理装置。
【請求項３】
前記第１取得手段により取得した前記搬送手段の動作の情報の補正値を決定する第１モードと、前記第１モードで決定した補正値に基づいて、前記搬送手段の搬送を制御する第２モードと、を備えることを特徴とする請求項１又は２に記載の画像処理装置。
【請求項４】
前記搬送手段により搬送される記録媒体の位置を特定する特定手段をさらに有し、
前記特定手段には、前記補正手段により補正された前記搬送手段の動作の情報が入力されることを特徴とする請求項１乃至３のいずれか１項に記載の画像処理装置。
【請求項５】
前記第２取得手段は、
前記記録ヘッドにより記録された画像の濃度を検出する濃度検出センサと、
前記濃度検出センサにより検出された濃度信号をアナログデジタル変換するアナログデジタル変換器とを有することを特徴とする請求項１乃至４のいずれか１項に記載の画像処理装置。
【請求項６】
前記制御回路は、
入力された情報をヒストグラム形式で収集してメモリに保存することを特徴とする請求項４に記載の画像処理装置。
【請求項７】
前記第１取得手段は、前記搬送手段の搬送ローラが備えるエンコーダセンサの相信号を前記動作の情報として取得することを特徴とする請求項１乃至６のいずれか１項に記載の画像処理装置。
【請求項８】
前記所定の形式は、ヒストグラム形式であり、
前記制御回路により作成されたヒストグラムを解析する解析手段をさらに有し、
前記ヒストグラムは、前記相信号と前記相信号の位相に関する出現頻度との関係を示していることを特徴とする請求項７に記載の画像処理装置。
【請求項９】
前記補正手段により補正された前記相信号の振幅の中心を表わす中心電圧に対応する位相と、前記相信号の振幅量とを格納する格納手段をさらに有し、
前記解析手段は、
前記第１取得手段により取得された前記相信号の振幅の中心を表わす中心電圧に対応する位相と前記格納手段に格納された前記相信号の振幅の中心を表わす中心電圧に対応する位相との位相差が所定の第１の閾値より大きい場合には、前記補正手段によるオフセット補正を行うと判断する第１の判断手段を含み、
前記位相差がオフセット補正の補正値として決定されることを特徴とする請求項８に記載の画像処理装置。
【請求項１０】
前記解析手段はさらに、
前記解析手段により得られた前記相信号の振幅量と前記格納手段に格納された前記相信号の振幅量との振幅差が所定の第２の閾値より大きい場合には、前記補正手段による振幅量補正を行うと判断する第２の判断手段を含み、
前記補正手段は、前記解析手段により得られた前記相信号の振幅量と前記格納手段に格納された前記相信号の振幅量との比の値を増幅率、或いは、減衰率として前記相信号の振幅量の補正を行うことを特徴とする請求項９に記載の画像処理装置。
【請求項１１】
前記搬送手段を備えることを特徴とする請求項１乃至１０のいずれか１項に記載の画像処理装置。
【請求項１２】
前記記録ヘッドを備えることを特徴とする請求項１乃至１１のいずれか１項に記載の画像処理装置。
【請求項１３】
画像処理装置の補正方法であって、
記録媒体を搬送する搬送手段の動作の情報を取得する第１取得工程と、
記録ヘッドにより記録された画像の濃度の情報を取得する第２取得工程と、
前記第２取得工程において取得した画像の濃度の情報を制御回路により所定の形式で収集する第１収集工程と、
第１取得工程において取得した前記搬送手段の動作の情報の補正を行う補正工程と、
前記補正工程で用いる補正値を決定する場合、前記第１取得工程において取得された前記搬送手段の動作の情報を前記制御回路により前記所定の形式で収集する第２収集工程とを有し、
前記補正工程では、前記収集された前記搬送手段の動作の情報に基づいて、補正を行うことを特徴とする画像処理装置の補正方法。
【手続補正２】
【補正対象書類名】明細書
【補正対象項目名】発明の名称
【補正方法】変更
【補正の内容】
【発明の名称】画像処理装置及び画像処理装置の補正方法
【手続補正３】
【補正対象書類名】明細書
【補正対象項目名】０００１
【補正方法】変更
【補正の内容】
【０００１】
本発明は画像処理装置及び画像処理装置の補正方法に関し、特に、例えば、記録用紙の搬送制御に使用されるアナログエンコーダセンサからの信号を補正する画像処理装置及び画像処理装置の補正方法に関する。
【手続補正４】
【補正対象書類名】明細書
【補正対象項目名】００１１
【補正方法】変更
【補正の内容】
【００１１】
本発明は上記従来例に鑑みてなされたもので、簡単で安価な構成でエンコーダ信号の収集及び解析が可能な画像処理装置及びその補正方法を提供することを目的とする。
【手続補正５】
【補正対象書類名】明細書
【補正対象項目名】００１２
【補正方法】変更
【補正の内容】
【００１２】
上記目的を達成するために本発明の画像処理装置は、次のような構成からなる。
【手続補正６】
【補正対象書類名】明細書
【補正対象項目名】００１３
【補正方法】変更
【補正の内容】
【００１３】
即ち、記録媒体を搬送する搬送手段の動作の情報を取得する第１取得手段と、記録ヘッドにより記録された画像の濃度の情報を取得する第２取得手段と、前記第２取得手段により取得した画像の濃度の情報を所定の形式で収集する制御回路と、第１取得手段により取得した前記搬送手段の動作の情報の補正を行う補正手段とを有し、前記補正手段で用いる補正値を決定する場合、前記制御回路は、前記第１取得手段により取得された前記搬送手段の動作の情報を前記所定の形式で収集し、前記補正手段は、前記制御回路により収集された前記搬送手段の動作の情報に基づいて、補正を行うことを特徴とする。
【手続補正７】
【補正対象書類名】明細書
【補正対象項目名】００１４
【補正方法】変更
【補正の内容】
【００１４】
また本発明を別の側面から見れば、画像処理装置の補正方法であって、記録媒体を搬送する搬送手段の動作の情報を取得する第１取得工程と、記録ヘッドにより記録された画像の濃度の情報を取得する第２取得工程と、前記第２取得工程において取得した画像の濃度の情報を制御回路により所定の形式で収集する第１収集工程と、第１取得工程において取得した前記搬送手段の動作の情報の補正を行う補正工程と、前記補正工程で用いる補正値を決定する場合、前記第１取得工程において取得された前記搬送手段の動作の情報を前記制御回路により前記所定の形式で収集する第２収集工程とを有し、前記補正工程では、前記収集された前記搬送手段の動作の情報に基づいて、補正を行うことを特徴とする画像処理装置の補正方法を備える。